(57)【要約】  【課題】  一般的に使用されるＯＳを用いてＴＶアプリケーションなどの所定のアプリケーションを起動させる際に、そのアプリケーションの起動準備中であることをユーザに知らせることができて、その待ち中にユーザに不安を与えることがないアプリケーション起動装置を得る。  【解決手段】  ＴＶアプリケーションをコンピュータの電源断状態、電源休止状態、若しくはスタンバイ状態のいずれかの電源状態から起動させるに際して、コンピュータのいずれかの電源状態において、ＴＶアプリケーションの起動イベントを入力するための起動イベント入力部１と、入力された起動イベントを検出する起動イベント検出部２と、起動イベントが検出されてからＴＶアプリケーションが起動されるまでの間において、ＴＶアプリケーションを起動準備中であることを示す起動準備状態表示部３Ａとを備える。  【選択図】  図１
2005309551.tif 000002
【特許請求の範囲】
【請求項１】
所定のアプリケーションが動作する情報処理装置であって、
前記所定のアプリケーションの起動指示を入力するための起動指示入力部と、
前記起動指示が入力されてから前記所定のアプリケーションが起動されるまでの間において、前記所定のアプリケーションを起動準備中であることを示す起動準備状態表示部と、
を備えてなる情報処理装置。
【請求項２】
請求項１に記載の情報処理装置において、
前記入力された起動指示に関する情報を保持する起動指示情報保持部と、
前記起動指示に基づいてオペレーティングシステムを起動するオペレーティングシステム起動部と、
前記オペレーティングシステムが起動された後に、前記起動指示情報保持部に保持された情報に基づいて前記所定のアプリケーションを起動するアプリケーション起動部と、
を備えてなる情報処理装置。
【請求項３】
請求項１又は請求項２に記載の情報処理装置において、
前記所定のアプリケーション以外のアプリケーションの実行時において、前記起動指示入力部による起動指示の入力が行われた場合には、実行中のアプリケーションに対する割込指示を発生し、前記所定のアプリケーションを起動させる割込指示発生部
を備えている情報処理装置。
【請求項４】
請求項１乃至請求項３のいずれかに記載の情報処理装置において、
前記所定のアプリケーション起動前の電源状態を保持する電源状態情報保持部と、
前記所定のアプリケーションの実行終了が指示された場合、前記電源状態情報保持部に保持された電源状態に基づいて、電源状態を前記所定のアプリケーション起動前の状態に移行させる電源制御部と、
を備えてなる情報処理装置。
【請求項５】
請求項１乃至請求項４のいずれかに記載の情報処理装置において、
前記所定のアプリケーションは、受信された放送映像を映し出すためのアプリケーションである情報処理装置。
【請求項６】
所定のアプリケーションが動作する情報処理装置によるアプリケーション起動方法であって、
入力された前記所定のアプリケーションの起動指示を検出する起動指示検出ステップと、
前記起動イベント検出ステップにより起動イベントが検出されてから前記所定のアプリケーションが起動されるまでの間において、前記所定のアプリケーションを起動準備中であることを示す起動準備状態表示ステップと、
を備えてなるアプリケーション起動方法。
【請求項７】
情報処理装置のコンピュータに実行させるアプリケーション起動プログラムであって、
入力された所定のアプリケーションの起動指示を検出する起動指示検出ステップと、
前記起動指示検出ステップにより起動指示が検出されてから、前記所定のアプリケーションが起動されるまでの間において、前記所定のアプリケーションを起動準備中であることを示す起動準備状態表示ステップと
をコンピュータに実行させるアプリケーション起動プログラム。
【請求項８】
請求項７に記載のアプリケーション起動プログラムにおいて、
前記起動指示検出ステップにより検出された起動指示に関する情報を保持する指示情報保持ステップと、
前記起動指示検出ステップにより検出された起動指示に基づいてオペレーティングシステムを起動するオペレーティングシステム起動ステップと、
前記オペレーティングシステムが起動された後に、前記指示情報保持ステップにより保持された指示情報に基づいて前記所定のアプリケーションを起動させるアプリケーション起動ステップと、
をコンピュータに実行させるアプリケーション起動プログラム。
【請求項９】
請求項７又は請求項８に記載のアプリケーション起動プログラムにおいて、
前記所定のアプリケーション起動前の前記コンピュータの電源状態を保持する電源状態保持ステップと、
前記所定のアプリケーションの実行終了が指示された場合、
前記電源状態保持ステップにより保持された電源状態に基づいて、前記情報処理装置の電源状態を前記所定のアプリケーション起動前の状態に移行させる電源状態移行ステップと、
をコンピュータに実行させるアプリケーション起動プログラム。
【請求項１０】
コンピュータのディスプレイ装置であって、
前記コンピュータで動作する所定のアプリケーションを起動するためのボタンと、
前記ボタンが押下されてから、前記所定のアプリケーションが起動されるまでの間において前記所定のアプリケーションが起動準備中であることを示す表示部とを備えてなるコンピュータのディスプレイ装置。
【発明の詳細な説明】
【技術分野】
【０００１】
本発明は、コンピュータにおいて用いられる所定のアプリケーションを例えばコンピュータの電源断状態、電源休止状態、若しくはスタンバイ状態のいずれかの電源状態から起動させることができる情報処理装置、アプリケーション起動方法、及びアプリケーション起動プログラム、並びにコンピュータのディスプレイ装置に関するものである。
【背景技術】
【０００２】
パーソナルコンピュータ（以下ＰＣという）などの情報処理装置において、使用され得る複数のアプリケーションの中から、例えば、メールやインターネットなどの特定のアプリケーションに限り、コンピュータの電源断状態、電源休止状態、若しくはスタンバイ状態のいずれかの電源状態からワンタッチで起動させることができるアプリケーション起動装置を備えた情報処理装置が知られる。
この情報処理装置は、例えば起動用のアプリボタンを備え、そのアプリボタンが押下されることにより、直ちにそのアプリケーションの起動準備が開始される。
【発明の開示】
【発明が解決しようとする課題】
【０００３】
しかしながら、上述したアプリケーション起動装置は、アプリボタンが押下されることにより、まずオペレーションシステム（以下ＯＳという）を起動させ、それからアプリケーションを起動させる手順を必要とする。このため、ユーザはアプリボタンを押下してから、アプリケーションが実行されるまで、かなりの時間を待たなければならないが、この間、従来の装置は、そのアプリケーションに関しての起動準備を行っていることについてユーザに対して知らしめるべく何等ユーザに対して表示をすることはしていない。このため、ユーザは、実際にそのアプリケーションについての起動準備がされているのかどうかについて、不安になる場合がある。
【０００４】
一方、特定のアプリケーションとして、コンピュータ画面にテレビを映し出すようなテレビアプリケーション（以下ＴＶアプリケーション）の場合、ＴＶアプリケーションを起動させるためだけのＯＳを、ＰＣで一般に使用されるＯＳとは別に備えることにより、上記起動準備時間の短縮を図って、ユーザに待ち時間を与えないようにしたものが知られるが、この場合は、ＯＳを別に設けなければならないことから、コスト高になるという問題がある。
【０００５】
本発明は上述した課題に鑑みてなされたものであり、ＰＣのような情報処理装置において、一般的に使用されるＯＳを用いてＴＶアプリケーションなどの所定のアプリケーションを起動させる際に、そのアプリケーションの起動準備中であることをユーザに知らせることができて、その待ち中にユーザに不安を与えることがない情報処理装置、アプリケーション起動方法、及びアプリケーション起動プログラム、並びにコンピュータのディスプレイ装置を提供することを目的とする。
【課題を解決するための手段】
【０００６】
上述した課題を解決するために、本発明は、所定のアプリケーションが動作する情報処理装置であって、前記所定のアプリケーションの起動指示を入力するための起動指示入力部と、前記起動指示が入力されてから前記所定のアプリケーションが起動されるまでの間において、前記所定のアプリケーションを起動準備中であることを示す起動準備状態表示部とを備えてなるものである。
【０００７】
また、本発明の情報処理装置において、前記入力された起動指示に関する情報を保持する起動指示情報保持部と、前記起動指示に基づいてオペレーティングシステムを起動するオペレーティングシステム起動部と、前記オペレーティングシステムが起動された後に、前記起動指示情報保持部に保持された情報に基づいて前記所定のアプリケーションを起動するアプリケーション起動部とを備えてなる。
【０００８】
また、本発明の情報処理装置において、前記所定のアプリケーション以外のアプリケーションの実行時において、前記起動指示入力部による起動指示の入力が行われた場合には、実行中のアプリケーションに対する割込指示を発生し、前記所定のアプリケーションを起動させる割込指示発生部を備えている。
【０００９】
なお、本発明の情報処理装置において、前記状態表示部は、当該情報処理装置で利用される表示装置に設けられた発光部により構成される。
また、前記起動指示入力部は、前記所定のアプリケーション起動のための起動ボタン又は遠隔操作装置の指示受信部を備えて構成され、前記起動指示は前記起動ボタンの押下又は遠隔操作装置からの指示を受信により発生する。
【００１０】
また、本発明の情報処理装置において、前記所定のアプリケーション起動前の電源状態を保持する電源状態情報保持部と、前記所定のアプリケーションの実行終了が指示された場合、前記電源状態情報保持部に保持された電源状態に基づいて、電源状態を前記所定のアプリケーション起動前の状態に移行させる電源制御部とを備えてなる。
【００１１】
また、本発明の情報処理装置において、前記所定のアプリケーションは、受信された放送映像を映し出すためのアプリケーションである。
【００１２】
なお、本発明の情報処理装置において、前記所定のアプリケーションの起動準備の終了後は、該状態を前記所定のアプリケーションの実行状態として前記起動準備状態と区別して示す実行状態表示部を備えている。
【００１３】
又、本発明は、所定のアプリケーションが動作する情報処理装置によるアプリケーション起動方法であって、入力された前記所定のアプリケーションの起動指示を検出する起動指示検出ステップと、前記起動イベント検出ステップにより起動イベントが検出されてから前記所定のアプリケーションが起動されるまでの間において、前記所定のアプリケーションを起動準備中であることを示す起動準備状態表示ステップとを備えてなる。
【００１４】
本発明のアプリケーション起動方法において、前記起動指示検出ステップにより検出された起動指示に関する情報を保持する指示情報保持ステップと、前記起動指示検出ステップにより検出された起動指示に基づいてオペレーティングシステムを起動するオペレーティングシステム起動ステップと、前記オペレーティングシステムが起動された後に、前記指示情報保持ステップにより保持された指示情報に基づいて前記所定のアプリケーションを起動させるアプリケーション起動ステップとを備えることができる。
【００１５】
また、前記所定のアプリケーション以外のアプリケーションの実行時において、前記所定のアプリケーションの起動指示の入力が行われた場合には、実行中のアプリケーションに対する割込指示を発生し、前記所定のアプリケーションを起動させる割込指示発生ステップを備えている。
【００１６】
また、本発明のアプリケーション起動方法において、前記所定のアプリケーション起動前の前記情報処理装置の電源状態を保持する電源状態保持ステップと、前記所定のアプリケーションの実行終了が指示された場合、前記電源状態保持ステップにより保持された電源状態に基づいて、前記情報処理装置の電源状態を前記所定のアプリケーション起動前の状態に移行させる電源状態移行ステップとを備えてなる。
【００１７】
また、本発明のアプリケーション起動方法において、前記所定のアプリケーションの起動準備の終了後は、該状態を前記所定のアプリケーションの実行状態として前記起動準備状態と区別して示す実行状態表示ステップを備えることができる。
【００１８】
また、本発明のアプリケーション起動方法において、前記起動準備状態表示ステップは発光部の点滅表示であり、前記実行状態表示ステップは前記発光部の点灯表示であり、これら起動準備状態表示ステップと実行状態表示ステップとの間に、前記発光部を消灯する消灯ステップを備えることができる。
【００１９】
又、本発明は、情報処理装置のコンピュータに実行させるアプリケーション起動プログラムであって、入力された所定のアプリケーションの起動指示を検出する起動指示検出ステップと、前記起動指示検出ステップにより起動指示が検出されてから、前記所定のアプリケーションが起動されるまでの間において、前記所定のアプリケーションを起動準備中であることを示す起動準備状態表示ステップとをコンピュータに実行させるものである。
【００２０】
また、本発明のアプリケーション起動プログラムにおいて、前記起動指示検出ステップにより検出された起動指示に関する情報を保持する指示情報保持ステップと、前記起動指示検出ステップにより検出された起動指示に基づいてオペレーティングシステムを起動するオペレーティングシステム起動ステップと、前記オペレーティングシステムが起動された後に、前記指示情報保持ステップにより保持された指示情報に基づいて前記所定のアプリケーションを起動させるアプリケーション起動ステップとをコンピュータに実行させる。
【００２１】
又、本発明のアプリケーション起動プログラムにおいて、前記所定のアプリケーション以外のアプリケーションの実行時において、前記所定のアプリケーションの起動指示の入力が行われた場合には、実行中のアプリケーションに対する割込指示を発生し、前記所定のアプリケーションを起動させる割込指示発生ステップをコンピュータに実行させることができる。
【００２２】
又、本発明のアプリケーション起動プログラムにおいて、前記所定のアプリケーション起動前の前記コンピュータの電源状態を保持する電源状態保持ステップと、前記所定のアプリケーションの実行終了が指示された場合、前記電源状態保持ステップにより保持された電源状態に基づいて、前記情報処理装置の電源状態を前記所定のアプリケーション起動前の状態に移行させる電源状態移行ステップとをコンピュータに実行させる。
【００２３】
また、本発明のアプリケーション起動プログラムにおいて、前記所定のアプリケーションの起動準備の終了後は、該状態を前記所定のアプリケーションの実行状態として前記起動準備状態と区別して示す実行状態表示ステップを備えることができる。また、本発明のアプリケーション起動プログラムにおいて、前記起動準備状態表示ステップは発光部の点滅表示であり、前記実行状態表示ステップは前記発光部の点灯表示であり、これら起動準備状態表示ステップと実行状態表示ステップとの間に、前記発光部を消灯する消灯ステップをコンピュータに実行させることができる。
【００２４】
又、本発明は、コンピュータのディスプレイ装置であって、前記コンピュータで動作する所定のアプリケーションを起動するためのボタンと、前記ボタンが押下されてから、前記所定のアプリケーションが起動されるまでの間において前記所定のアプリケーションが起動準備中であることを示す表示部とを備えてなる。
【００２５】
また、本発明の情報処理装置において、前記電源状態は電源断状態、電源休止状態、若しくはスタンバイ状態のいずれかである。
【００２６】
なお、本発明によれば、コンピュータにおいて用いられる複数のアプリケーションの中から所定のアプリケーションをコンピュータの電源断状態、電源休止状態、若しくはスタンバイ状態のいずれかの電源状態から起動させるアプリケーション起動装置であって、前記コンピュータのいずれかの電源状態において、前記所定のアプリケーションの起動イベントを入力するための起動イベント入力部と、前記起動イベント入力部により入力された起動イベントを検出する起動イベント検出部と、前記起動イベント検出部により起動イベントが検出されてから前記所定のアプリケーションが起動されるまでの間において、前記所定のアプリケーションを起動準備中であることを示す起動準備状態表示部とを備えてなるアプリケーション起動装置を提供することができる。
【００２７】
また、本発明は、コンピュータにおいて用いられる複数のアプリケーションの中から所定のアプリケーションをコンピュータの電源断状態、電源休止状態、若しくはスタンバイ状態のいずれかの電源状態から起動させるアプリケーション起動方法であって、前記コンピュータの電源断状態、電源休止状態、若しくはスタンバイ状態のいずれかの電源状態において、入力された前記所定のアプリケーションの起動イベントを検出する起動イベント検出ステップと、前記起動イベント検出ステップにより起動イベントが検出されてから前記所定のアプリケーションが起動されるまでの間において、前記所定のアプリケーションを起動準備中であることを示す起動準備状態表示ステップとを備えてなるアプリケーション起動方法が提供できる。
【００２８】
さらに、本発明によれば、コンピュータにおいて用いられる複数のアプリケーションの中から所定のアプリケーションをコンピュータの電源断状態、電源休止状態、若しくはスタンバイ状態のいずれかの電源状態から起動させることを前記コンピュータに実行させるアプリケーション起動プログラムであって、前記コンピュータの電源断状態、電源休止状態、若しくはスタンバイ状態のいずれかの電源状態において、入力された前記所定のアプリケーションの起動イベントを検出する起動イベント検出ステップと、前記起動イベント検出ステップにより起動イベントが検出されてから前記所定のアプリケーションが起動されるまでの間において、前記所定のアプリケーションを起動準備中であることを示す起動準備状態表示ステップとをコンピュータに実行させるアプリケーション起動プログラムを提供することができる。
【００２９】
また、本発明によれば、コンピュータにおいて用いられる複数のアプリケーションの中から所定のアプリケーションをコンピュータの電源断状態、電源休止状態、若しくはスタンバイ状態のいずれかの電源状態から起動させることができるコンピュータのディスプレイ装置であって、所定のアプリケーションを起動するためのボタンと、前記ボタンが押下されてから、前記所定のアプリケーションが起動されるまでの間において前記所定のアプリケーションが起動準備中であることを示す表示部とを備えてなるディスプレイ装置を提供することができる。
【００３０】
なお、上述したアプリケーション起動プログラムは、コンピュータにより読取り可能な媒体に記憶されることができる。ここで、コンピュータにより読取り可能な媒体は、ＲＯＭやＲＡＭなどの半導体メモリの他、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【発明の効果】
【００３１】
以上に詳述したように、本発明によれば、ＰＣのような情報処理装置において、一般的に使用されるＯＳを用いてＴＶアプリケーションなどの所定のアプリケーションを起動させる際に、そのアプリケーションの起動準備中であることをユーザに知らせることができて、その待ち中にユーザに不安を与えることがない。また、ＯＳを二つ用いることもないので、安価に構成できる。
【発明を実施するための最良の形態】
【００３２】
実施の形態1．
以下、本発明の実施の形態について図面を参照して詳細に説明する。図１は、本実施の形態１における機能ブロック図、図２は同機能を構成する階層構造を示す階層構成図、図３は本実施の形態のディスプレイ装置を示す正面図である。なお、実施の形態における情報処理装置に備えられるアプリケーション起動装置は、ＰＣのディスプレイ装置にテレビ映像を映し出すＴＶアプリケーションを起動するためのＴＶアプリケーション起動装置として説明する。
【００３３】
図１に示すように、本発明の実施の形態における情報処理装置はアプリケーション起動装置１０を備える。このアプリケーション起動装置１０は、ＴＶアプリケーションの起動イベント（起動指示）を入力するための起動イベント入力部（起動指示入力部）１と、起動イベント入力部１により入力された起動イベントを検出する起動イベント検出部（起動指示検出部）２と、起動イベント検出部２により起動イベントが検出されてからＴＶアプリケーションが起動されるまでの間において、ＴＶアプリケーションを起動準備中であることを示す起動準備状態表示部３Ａを備えて構成されている。
【００３４】
また、このアプリケーション起動装置１０は、起動イベント検出部２により検出された起動イベントに関する情報を保持する起動イベント情報保持部（起動指示情報保持部）４と、起動イベント検出部２により検出された起動イベントに基づいてコンピュータのＯＳを起動させるＯＳ起動部５と、ＯＳが起動されることにより、起動イベント情報保持部４に保持されたイベント情報に基づいてＴＶアプリケーションを起動させるアプリケーション起動部６を備えている。
【００３５】
更に、このアプリケーション起動装置１０は、ＴＶアプリケーション以外のアプリケーションの実行時において、起動イベント入力部１による起動イベントの入力が行われた場合には、実行中のアプリケーションに対するインタラプトイベント（割込イベント）を発生し、アプリケーション起動部６によりＴＶアプリケーションを起動させるインタラプトイベント発生部（割込指示発生部）７を備えている。ＴＶアプリケーションはアプリケーション実行部８により実行され、ＴＶアプリケーションの実行時にその実行状態を表示するための実行状態表示部３Ｂを備えている。
【００３６】
図２に示す階層構成図によれば、本実施の形態のアプリケーション起動装置１０は、ＴＶアプリケーション層１１、ミドルウェア（リモコンマネージャ）層１２、リモコンドライバ層１３、ＯＳ層１４、ＢＩＯＳ層１５、そしてハードウェア層１６とから構成されている。ここで、ＢＩＯＳ層１５にはミドルウェア層１２とのＩ／Ｆを規定する仮想デバイスが実装され、ミドルウェア１２には仮想デバイスによるドライバが実装されている。
【００３７】
図３に示されるように、ディスプレイ装置２０は、図示しないＰＣ本体の電源ボタン（例えばディスプレイ側面部に設けられる）の他に、その適所である例えば正面側の側部下部にＴＶアプリ電源ボタン（起動ボタン）１Ａとリモコン（遠隔操作装置）の受信部（指示受信部）１Ｂを備えており、ＴＶアプリ電源ボタン１Ａの中央部に起動準備状態表示部３Ａと実行状態表示部３Ｂのそれぞれにより発光態様が変更されて発光されるＬＥＤ３Ｃを備えている。すなわち上述した起動準備状態表示部３Ａと実行状態表示部３Ｂのそれぞれは、二つの状態を表示する表示部３を構成し、一つのＬＥＤ３Ｃをそれぞれの状態に応じた発光態様で発光させて各状態を表示する。
【００３８】
ここで、上述した起動イベント入力部１は、ＴＶアプリ電源ボタン１Ａ及びリモコンの受信部１Ｂにより構成され、更に起動イベント検出部２は、ＴＶアプリ電源ボタンの押下又はリモコン操作を受信して起動イベントを検出する。なお、図３に示すディスプレイ装置２０には、ＴＶアプリ電源ボタン１Ａ上方に、ＰＣ本体の電源状態を表示するＰｏｗｅｒ／Ｓｕｓｐｅｎｄ  ＬＥＤ２１、ハードディスク又はＣＤへのアクセスを表示するＨＤＤ／ＣＤ  Ａｃｃｅｓｓ  ＬＥＤ２２、メールアプリケーションの実行を表示するＭａｉｌ  ＬＥＤ２３が設けられると共に、ＮｕｍＬｏｃｋ  ＬＥＤ２５、ＳｃｒｏｌｌＬｏｃｋ  ＬＥＤ  ２６が設けられている。
【００３９】
以下、実施の形態１の動作について、図４、図５のフローチャートを用いて説明する。なお、図中各ステップにおいては、適宜図２に示した各ステップの動作主体が示されている。
まず、起動イベント待ちの状態（ステップＳ１）から、ＰＣ本体の電源ボタンによる電源投入（ステップＳ２）、又はリモコンのＴＶアプリ電源ボタンによる電源投入（ステップＳ３）、或いはＰＣ本体のＴＶアプリ電源ボタンによる電源投入（ステップＳ４）が行われて一連の処理が開始される。リモコン及びＰＣ本体のＴＶアプリ電源ボタンによる電源投入（ＴＶアプリのオン操作）が行われると（ステップＳ３、Ｓ４）、起動イベント情報の保持（Ｓ５）が行われ、ＬＥＤの点滅制御が行われて（ステップＳ６）起動準備状態が表示されると共に、ＯＳの起動／復帰（ステップＳ７）が行われる。ＯＳの復帰が終了すると起動イベント情報が読み込まれて有効化される（ステップＳ８）。
【００４０】
次に起動イベント情報保持部４によるイベントチェックが行われ（ステップＳ９）、ＴＶアプリ電源ボタンによる電源投入（ＴＶアプリの起動イベント）があった場合（ステップＳ９、Ｙ）は、一度ＬＥＤ３Ｃを消灯（ステップＳ１２）した後、ＴＶアプリケーションを起動させると共に（ステップＳ１２）、ＬＥＤ３Ｃの点灯制御を行う（ステップＳ１４）。これによりユーザはＰＣによるテレビ観賞を行うことができる。
【００４１】
なお、ステップＳ１２において、一度ＬＥＤ３Ｃを消灯制御するのは、以下の理由による。すなわち、アプリケーション層は、起動時にＬＥＤ点灯制御を呼び、終了時にＬＥＤ３Ｃ消灯制御を呼ぶが、ＴＶアプリケーションがアンインストールされている状態や何らかの理由で起動エラーが発生したり、ＯＳによる強制終了が行われたときには、ＬＥＤ３Ｃがどのような状態になっているかアプリケーションによって異なったり、考慮されていないタイミングの抜け（バグ）が発生する虞がある。
【００４２】
そこで、ＴＶアプリケーション起動直前にドライバ層（リモコンマネージャ）で、ＬＥＤ３Ｃを一度消灯させてからＴＶアプリケーションを起動するようにすることで、そのエラーケースとしてＬＥＤ３Ｃが消灯するため、ユーザは最早テレビは起動しないということを認識することができる。一方、このようなステップを設けていない場合は、仮にエラーケースで点滅し続けた場合、何時になったらテレビが起動するのか、ユーザは認識できないという不具合が発生する虞があるからである。
【００４３】
そして、ＴＶアプリ電源ボタンによるＯＦＦ操作（再押下）があると（ステップＳ１５、Ｙ）、ＴＶアプリケーションを終了し（ステップＳ１６）、ＬＥＤ３Ｃを消灯するとともに（ステップＳ１７）、ＯＳの起動を終了する（ステップＳ１８〜２１）。この場合、その終了の仕方により、電源断状態（ステップＳ１９）、休止状態（ステップＳ２０）、スタンバイ（ステップＳ２１）の三つの状態のうちのいずれかに状態が遷移する。
【００４４】
一方ステップＳ１の後、ＰＣ本体の電源が投入された（ステップＳ２）場合は、直ちにＯＳの起動又は復帰が行われ（ステップＳ７）、ＴＶアプリケーションの起動イベントが無い場合（ステップＳ９、Ｎ）は、通常のＰＣの起動が行われる（ステップＳ１０）、その後、ＴＶアプリケーションの起動イベントの有無、ＰＣ本体の電源ＯＦＦイベントのチェックが行われ（ステップＳ１１）、何れもない場合は、いずれかのイベントがあるまで、通常のＰＣの起動状態を維持する（ステップＳ１１Ｎ）。ＴＶアプリケーションの起動イベントがあった場合は、上述したステップＳ１２以降の処理が行われる。
【００４５】
一方、ステップＳ１１においてＰＣ本体の電源ＯＦＦ操作があった場合は、ステップＳ１８に進む。また、ステップＳ１９の電源断状態において、ＡＣケーブルが抜かれて電力供給が停止した場合（ステップＳ２２）は、再度ＡＣケーブルが接続され（ステップＳ２３）、一度ステップＳ２〜ステップＳ１８の処理を繰り返した後、ステップＳ１の起動イベント待ちの状態に戻る。
【００４６】
なお、以上に説明した図４、図５に示されるフローチャートの一部をアプリケーション起動プログラムとして、コンピュータにより読取り可能な記録媒体に記憶させることによって、本発明のアプリケーション起動装置におけるアプリケーション起動方法をコンピュータに実行させることが可能となる。
【００４７】
実施の形態２．
実施の形態２は、ＴＶアプリケーションを終了する場合に、ＰＣ本体の電源状態をＴＶアプリケーションの起動前の状態に戻すようにしたものである。
図６は実施の形態２を示すブロック図であり、実施の形態２のアプリケーション起動装置１０Ａは、図１に示した構成に加えて、起動イベント検出部２による起動イベントが検出された場合にＴＶアプリケーション起動時前のＰＣ本体の電源状態情報を保持する電源状態情報保持部３３と、ＴＶアプリケーション実行時に、該アプリケーションを終了する終了イベントを入力する終了イベント入力部３１と、この終了イベント入力部３１により入力された終了イベントを検出する終了イベント検出部３２と、終了イベント検出部３２により検出された終了イベントと、電源状態情報保持部３３に保持された電源状態情報とに基づいて、ＰＣの電源状態をＴＶアプリケーション起動前の状態に移行させる電源制御部３４とを備えている。
【００４８】
なお、実施の形態２において、終了イベント入力部３１は、リモコン又はＰＣ本体に設けられたアプリ電源ボタンにより構成され、ＴＶアプリケーションの実行時にこれらが再操作されることにより、終了イベントとして終了イベント検出部３２が検出するよう構成されている。
【００４９】
図７は実施の形態２の動作の主要部分を示すフローチャートであり、図５に示したステップＳ１７とステップＳ１９の間に実施の形態２の特有の動作が行われる。まず、実施の形態１と同様に、終了イベントの検出が行われる（ステップＳ１５、Ｙ）と、ＬＥＤ３Ｃの消灯制御が行われた（ステップＳ１７）後、起動イベント発生時に電源状態情報保持部３３に保持された電源状態情報がチェックされる（ステップＳ１８１）。
【００５０】
なお、この電源状態情報保持部３３による電源状態情報の保持は、起動イベント発生の場合は、ファームウェア（ＢＩＯＳ）のインプリメントを行う場合の電源投入又はスタンバイ復帰直後（電源が投入されて直ぐ）のタイミングで保持する。これは、実施の形態１において説明した図４の起動イベント情報の保持動作（ステップＳ５）に併せて行うようにすることができる。一方、復帰状態が存在しない場合、例えばステップＳ２３を介してステップＳ２に進んだような場合は、ＯＳ起動状態においてイベントが発生したものとして、ステップＳ１８１のチェックの時に判断することとする。
【００５１】
そして、その結果、ステップＳ１８２において、ＴＶアプリケーションの起動イベント入力前のＯＳの状態が起動状態であったと判断された場合（ステップＳ１８２、Ｙ）は、その起動状態に移行する（ステップＳ１８３）。ＯＳが起動状態でなかった場合（ステップＳ１８２、Ｎ）は、電源断状態か休止状態、スタンバイ状態のいずれであったかが判断され（ステップＳ１８４）、それぞれの判断結果に基づいてその状態に移行する（ステップＳ１９〜Ｓ２１）。
【００５２】
以上、本発明の実施の形態においては、所定のアプリケーションとしてＴＶアプリケーションに例をとって説明したが、本発明は、ＴＶアプリケーションに限定されることはなく、他のアプリケーション、例えばＤＶＤなどのビジュアルに関するアプリケーション、ＣＤなどのオーディオに関するアプリケーション、メール、インターネットに関するアプリケーションにも同様に適用できることは言うまでもない。
【００５３】
（付記１）  所定のアプリケーションが動作する情報処理装置であって、
前記所定のアプリケーションの起動指示を入力するための起動指示入力部と、
前記起動指示が入力されてから前記所定のアプリケーションが起動されるまでの間において、前記所定のアプリケーションを起動準備中であることを示す起動準備状態表示部と、
を備えてなる情報処理装置。
（付記２）  付記１に記載の情報処理装置において、
前記入力された起動指示に関する情報を保持する起動指示情報保持部と、
前記起動指示に基づいてオペレーティングシステムを起動するオペレーティングシステム起動部と、
前記オペレーティングシステムが起動された後に、前記起動指示情報保持部に保持された情報に基づいて前記所定のアプリケーションを起動するアプリケーション起動部と、
を備えてなる情報処理装置。
（付記３）  付記１又は付記２に記載の情報処理装置において、
前記所定のアプリケーション以外のアプリケーションの実行時において、前記起動指示入力部による起動指示の入力が行われた場合には、実行中のアプリケーションに対する割込指示を発生し、前記所定のアプリケーションを起動させる割込指示発生部
を備えている情報処理装置。
（付記４）  付記１乃至付記３のいずれかに記載の情報処理装置において、
前記状態表示部は、当該情報処理装置で利用される表示装置に設けられた発光部により構成される情報処理装置。
（付記５）  付記１乃至付記４のいずれかに記載の情報処理装置において、
前記起動指示入力部は、前記所定のアプリケーション起動のための起動ボタン又は遠隔操作装置の指示受信部を備えて構成され、前記起動指示は前記起動ボタンの押下又は遠隔操作装置からの指示を受信により発生する情報処理装置。
（付記６）  付記１乃至付記５のいずれかに記載の情報処理装置において、
前記所定のアプリケーション起動前の電源状態を保持する電源状態情報保持部と、
前記所定のアプリケーションの実行終了が指示された場合、前記電源状態情報保持部に保持された電源状態に基づいて、電源状態を前記所定のアプリケーション起動前の状態に移行させる電源制御部と、
を備えてなる情報処理装置。
（付記７）  付記１乃至付記６のいずれかに記載の情報処理装置において、
前記所定のアプリケーションは、受信された放送映像を映し出すためのアプリケーションである情報処理装置。
（付記８）  付記１乃至付記７のいずれかに記載の情報処理装置において、
前記所定のアプリケーションの起動準備の終了後は、該状態を前記所定のアプリケーションの実行状態として前記起動準備状態と区別して示す実行状態表示部を備えている情報処理装置。
（付記９）  所定のアプリケーションが動作する情報処理装置によるアプリケーション起動方法であって、
入力された前記所定のアプリケーションの起動指示を検出する起動指示検出ステップと、
前記起動イベント検出ステップにより起動イベントが検出されてから前記所定のアプリケーションが起動されるまでの間において、前記所定のアプリケーションを起動準備中であることを示す起動準備状態表示ステップと、
を備えてなるアプリケーション起動方法。
（付記１０）  付記９に記載のアプリケーション起動方法において、
前記起動指示検出ステップにより検出された起動指示に関する情報を保持する指示情報保持ステップと、
前記起動指示検出ステップにより検出された起動指示に基づいてオペレーティングシステムを起動するオペレーティングシステム起動ステップと、
前記オペレーティングシステムが起動された後に、前記指示情報保持ステップにより保持された指示情報に基づいて前記所定のアプリケーションを起動させるアプリケーション起動ステップと、
を備えてなるアプリケーション起動方法。
（付記１１）  付記９又は付記１０に記載のアプリケーション起動方法において、
前記所定のアプリケーション以外のアプリケーションの実行時において、前記所定のアプリケーションの起動指示の入力が行われた場合には、実行中のアプリケーションに対する割込指示を発生し、前記所定のアプリケーションを起動させる割込指示発生ステップ
を備えているアプリケーション起動方法。
（付記１２）  付記９乃至付記１１のいずれかに記載のアプリケーション起動方法において、
前記所定のアプリケーション起動前の前記情報処理装置の電源状態を保持する電源状態保持ステップと、
前記所定のアプリケーションの実行終了が指示された場合、前記電源状態保持ステップにより保持された電源状態に基づいて、前記情報処理装置の電源状態を前記所定のアプリケーション起動前の状態に移行させる電源状態移行ステップと
を備えてなるアプリケーション起動方法。
（付記１３）  付記９乃至付記１２のいずれかに記載のアプリケーション起動方法において、
前記所定のアプリケーションの起動準備の終了後は、該状態を前記所定のアプリケーションの実行状態として前記起動準備状態と区別して示す実行状態表示ステップ
を備えているアプリケーション起動方法。
（付記１４）  付記１３に記載のアプリケーション起動方法において、
前記起動準備状態表示ステップは発光部の点滅表示であり、前記実行状態表示ステップは前記発光部の点灯表示であり、これら起動準備状態表示ステップと実行状態表示ステップとの間に、前記発光部を消灯する消灯ステップ
を備えるアプリケーション起動方法。
（付記１５）  情報処理装置のコンピュータに実行させるアプリケーション起動プログラムであって、
入力された所定のアプリケーションの起動指示を検出する起動指示検出ステップと、
前記起動指示検出ステップにより起動指示が検出されてから、前記所定のアプリケーションが起動されるまでの間において、前記所定のアプリケーションを起動準備中であることを示す起動準備状態表示ステップと
をコンピュータに実行させるアプリケーション起動プログラム。
（付記１６）  付記１５に記載のアプリケーション起動プログラムにおいて、
前記起動指示検出ステップにより検出された起動指示に関する情報を保持する指示情報保持ステップと、
前記起動指示検出ステップにより検出された起動指示に基づいてオペレーティングシステムを起動するオペレーティングシステム起動ステップと、
前記オペレーティングシステムが起動された後に、前記指示情報保持ステップにより保持された指示情報に基づいて前記所定のアプリケーションを起動させるアプリケーション起動ステップと、
をコンピュータに実行させるアプリケーション起動プログラム。
（付記１７）  付記１５又は付記１６に記載のアプリケーション起動プログラムにおいて、
前記所定のアプリケーション以外のアプリケーションの実行時において、前記所定のアプリケーションの起動指示の入力が行われた場合には、実行中のアプリケーションに対する割込指示を発生し、前記所定のアプリケーションを起動させる割込指示発生ステップ
をコンピュータに実行させるアプリケーション起動プログラム。
（付記１８）  付記１５乃至付記１７のいずれかに記載のアプリケーション起動プログラムにおいて、
前記所定のアプリケーション起動前の前記コンピュータの電源状態を保持する電源状態保持ステップと、
前記所定のアプリケーションの実行終了が指示された場合、
前記電源状態保持ステップにより保持された電源状態に基づいて、前記情報処理装置の電源状態を前記所定のアプリケーション起動前の状態に移行させる電源状態移行ステップと、
をコンピュータに実行させるアプリケーション起動プログラム。
（付記１９）  付記１５乃至付記１８のいずれかに記載のアプリケーション起動プログラムにおいて、
前記所定のアプリケーションの起動準備の終了後は、該状態を前記所定のアプリケーションの実行状態として前記起動準備状態と区別して示す実行状態表示ステップを備えているアプリケーション起動プログラム。
（付記２０）  付記１９に記載のアプリケーション起動プログラムにおいて、
前記起動準備状態表示ステップは発光部の点滅表示であり、前記実行状態表示ステップは前記発光部の点灯表示であり、これら起動準備状態表示ステップと実行状態表示ステップとの間に、前記発光部を消灯する消灯ステップをコンピュータに実行させるアプリケーション起動プログラム。
（付記２１）  コンピュータのディスプレイ装置であって、
前記コンピュータで動作する所定のアプリケーションを起動するためのボタンと、
前記ボタンが押下されてから、前記所定のアプリケーションが起動されるまでの間において前記所定のアプリケーションが起動準備中であることを示す表示部とを備えてなるコンピュータのディスプレイ装置。
（付記２２）  付記６に記載の情報処理装置において、
前記電源状態は電源断状態、電源休止状態、若しくはスタンバイ状態のいずれかである情報処理装置。
（付記２３）  付記１２に記載のアプリケーション起動方法において、
前記電源状態は電源断状態、電源休止状態、若しくはスタンバイ状態のいずれかであるアプリケーション起動方法。
（付記２４）  付記１８に記載のアプリケーション起動プログラムにおいて、
前記電源状態は電源断状態、電源休止状態、若しくはスタンバイ状態のいずれかであるアプリケーション起動プログラム。
【図面の簡単な説明】
【００５４】
【図１】本実施の形態１における機能ブロック図である。
【図２】図１と同機能を構成する階層構造を示す階層構成図である。
【図３】本実施の形態のディスプレイ装置を示す正面図である。
【図４】実施の形態１の動作を示すフローチャートその１である。
【図５】実施の形態１の動作を示すフローチャートその２である。
【図６】実施の形態２の主要部を示すブロック図である。
【図７】実施の形態２の主要部の動作を示すフローチャートである。
【符号の説明】
【００５５】
１  起動イベント入力部、１Ａ  アプリ電源ボタン、１Ｂ  リモコンの受信部  １Ｃ  ＬＥＤ、２  起動イベント検出部、３  表示部、３Ａ  起動準備状態表示部、３Ｂ  実行状態表示部、４  起動イベント情報保持部、５  ＯＳ起動部、６  アプリケーション起動部、７  インタラプトイベント発生部、８  アプリケーション実行部、１０  アプリケーション起動装置、２０  ディスプレイ装置。
【図１】
2005309551.tif 000003
【図２】
2005309551.tif 000004
【図３】
2005309551.tif 000005
【図４】
2005309551.tif 000006
【図５】
2005309551.tif 000007
【図６】
2005309551.tif 000008
【図７】
2005309551.tif 000009